(57)【特許請求の範囲】
【請求項１】
スピーカユニット、マイクロホン、コード、コード保持部を有するイヤホンと、前記コードが接続される本体とを備え、
前記本体は、前記マイクロホンが集音した音声信号を処理して前記スピーカユニットに出力し、
前記イヤホンは前記マイクロホンを収容するハウジングを有し、
前記ハウジングにはマイク孔部が設けられ、
前記コード保持部は、前記マイク孔部と対向する位置に配置されることを特徴とする音声処理装置。
【請求項２】
スピーカユニットと、
マイクロホンと、
前記マイクロホンが集音した音声信号を増幅処理又は減衰処理する音声信号処理回路と、
前記マイクロホンから前記音声信号処理回路に音声信号を伝送するコードと、
前記コードに対して大きい曲げ剛性を有する部材で構成されるコード保持部と、
前記マイクロホンと前記スピーカユニットを収容するハウジングを有し、
前記ハウジングには、前記ハウジングの内部空間と前記ハウジングの外部とを連通するマイク孔部が設けられ、
前記コード保持部は、前記マイク孔部と対向する位置に配置されることを特徴とする音声処理装置。
【請求項３】
スピーカユニットと、
マイクロホンと、
前記マイクロホンから送られた音声信号を増幅処理又は減衰処理する本体と、
前記マイクロホンと前記本体とを電気的に接続する信号線と、
前記マイクロホンが収容される収容部とを有し、
前記収容部には前記収容部の内部空間と前記収容部の外部とを連通する孔部が設けられ、
前記信号線は樹脂部材で覆われるとともに、前記孔部と対向する位置に配置されることを特徴とする音声処理装置。
【請求項４】
マイクロホンと、
前記マイクロホンが集音した音声信号を増幅処理又は減衰処理する音声信号処理回路と、
前記マイクロホンから前記音声信号処理回路に音声信号を伝送するコードと、
前記コードに対して大きい曲げ剛性を有する部材で構成されるコード保持部と、
前記マイクロホンを収容するハウジングを有し、
前記ハウジングには、前記ハウジングの内部空間とハウジングの外部とを連通するマイク孔部が設けられ、
前記コード保持部は、前記マイク孔部と対向する位置に配置されることを特徴とする音声処理装置。
【請求項５】
前記コードは、導線と導線を外部から絶縁する絶縁部材で構成され、
前記コード保持部は、前記絶縁部材に対して大きい曲げ剛性を有する部材で構成されることを特徴とする請求項２又は請求項４に記載の音声処理装置。
【発明の詳細な説明】
【技術分野】
【０００１】
本発明は、音声処理装置に関するものである。
【背景技術】
【０００２】
外部音をマイクロホンで取り込んで、この音声信号を増幅してイヤホンのスピーカユニットに出力する補聴機能を備えた電子機器が知られている（下記特許文献１参照）。この種の電子機器は、一対のイヤホンを本体に接続し、イヤホンにマイクロホン及びスピーカユニットを内蔵し、本体に、イヤホンに内蔵されたマイクロホンの電気信号を増幅するアンプと、スピーカの音量バランスを可変調整するスイッチなどの操作部を設けたものである。
【先行技術文献】
【特許文献】
【０００３】
【特許文献１】実開平０４−０６１９９６号公報
【発明の概要】
【発明が解決しようとする課題】
【０００４】
前述した電子機器において、特に、ユーザがイヤホンを耳に装着した状態で電話をする場合には、受話器のスピーカユニットを耳に近づけると、受話器のスピーカユニットがイヤホンハウジング内のマイクロホンに近づくことになり、自然な受話器の使用状態で受話器のスピーカユニットから発せられる音声を増幅させてイヤホンのスピーカユニットから放射させることができる。
【０００５】
このように、受話器のスピーカユニットから発せられる音声をよりよく聞き取るために、ユーザが受話器のスピーカユニットをイヤホンのマイクロホンに近づける場合がある。このとき、イヤホンのマイクロホンに受話器などが接触して接触音が発生し、この接触音が補聴器本体により増幅されてイヤホンのスピーカユニットから放射されることがある。このような接触音は、これが増幅されてスピーカユニットから放出されることでユーザに不快感を与えるだけでなく、この接触音で受話器のスピーカユニットから発せられる会話の音声が聞こえづらくなり、重要な要件などを聞き落としてしまう問題があった。
【０００６】
本発明は、このような問題に対処することを課題の一例とするものである。すなわち、イヤホンのハウジング内にマイクロホンを収納した音声処理装置において、電話時の音声増幅を不快感無く行うことができること、接触音によって受話器から発せられる会話の音声が聞こえづらくなる不具合を解消することができること、等が本発明の目的である。
【課題を解決するための手段】
【０００７】
このような目的を達成するために、本発明による音声処理装置は、以下の構成を少なくとも具備するものである。スピーカユニット、マイクロホン、コード、コード保持部を有するイヤホンと、前記コードが接続される本体とを備え、前記本体は、前記マイクロホンが集音した音声信号を処理して前記スピーカユニットに出力し、前記イヤホンは前記マイクロホンを収容するハウジングを有し、前記ハウジングにはマイク孔部が設けられ、前記コード保持部は、前記マイク孔部と対向する位置に配置されることを特徴とする音声処理装置。
【図面の簡単な説明】
【０００８】
【図１】本発明の実施形態に係る音声処理装置の全体構成を示した説明図である。
【図２】本発明の実施形態における音声処理装置のイヤホン構造を示した説明図である。図２（ａ）は外観構造を示した説明図であり、図２（ｂ）は内部構造を示した断面図である。
【図３】本発明の実施形態に係る音声処理装置の回路構成を示した説明図である。
【図４】本発明の実施形態に係る音声処理装置の使用環境に応じたモード切り替えの態様を示した説明図であり、複数の異なるバンドパスフィルタの特性を示している。
【図５】本発明の実施形態に係る音声処理装置におけるスピーカユニットの出力音圧周波数特性を示した説明図である。
【図６】本発明の実施形態に係る音声処理装置におけるスピーカユニットの出力音圧周波数特性を示した説明図である。
【図７】本発明の実施形態に係る音声処理装置におけるスピーカユニットの出力音圧周波数特性を示した説明図である。
【図８】本発明の実施形態に係る音声処理装置におけるスピーカユニットの出力音圧周波数特性を示した説明図である。
【図９】本発明の実施形態に係る音声処理装置におけるスピーカユニットの出力音圧周波数特性を示した説明図である。
【図１０】イヤホンの接続端子部と本体の被接続端子部の構成を示した説明図である。
【図１１】イヤホン及び付属イヤホンにおける接続端子部の具体的な構成例を示した説明図である。
【図１２】本発明の実施形態に係る音声処理装置の本体を示した説明図である。
【発明を実施するための最良の形態】
【０００９】
以下、図面を参照しながら本発明の実施形態を説明する。本発明の実施形態は図示の形態を含むが、これに特に限定されるものではない。
【００１０】
［全体構成］
図１は、本発明の実施形態に係る音声処理装置の全体構成を示した説明図である。音声処理装置１は、イヤホン２と本体３とを備えている。イヤホン２は、ハウジング２０とコード２１を備えており、コード２１はコード保持部２１Ａを介してハウジング２０から引き出されている。コード２１の端部には接続端子部２２が設けられている。イヤホン２のハウジング２０には、ハウジング２０をユーザの耳に気密に保持するための耳介接続部２３Ａ、ハウジング２０を耳介内に接触させる耳介接触部２３Ｂが装着されている。
【００１１】
イヤホン２は、後述するようにハウジング２０内にスピーカユニットとマイクロホンを備えている。イヤホン２は、単一のハウジング２０を備えており、単一のハウジング２０に一つのスピーカユニットと一つの無指向性のマイクロホンが収納されている。
【００１２】
イヤホン２における単一のコード２１は、スピーカユニットと本体３とマイクロホンを電気的に接続する信号線を収容している。信号線は例えば導線などが挙げられる。コード２１は導線と導線を外部から絶縁する絶縁部材（樹脂部材）で構成される。絶縁部材は、ユーザが使用しやすいように弾性を有する。コード保持部２１Ａは、コード２１を覆う曲げ剛性を有する部材（樹脂部材）で構成される。曲げ剛性を有する部材は、コード２１の絶縁部材に対して大きい曲げ剛性を備える。ユーザがイヤホン２を装着している間、コード２１はユーザの耳に対して振動するが、コード２１に対して大きい曲げ剛性を有するコード保持部２１Ａは、マイク孔部２７に対して所定の間隙を維持する。すなわち、コード保持部２１Ａは比較的高い剛性を有するので、コード保持部２１Ａとマイク孔部２７との接触が抑止される。
【００１３】
本体３は、イヤホン２と電気的に接続されてマイクロホンが集音した音声信号を処理（増幅、又は減衰を含む）してスピーカユニットに出力する音声信号処理回路を有する。本体３は、音声信号処理回路を収納する筐体（本体ハウジング）４を備えている。筐体４は、後述する使用環境のモードを切り換えるモード切り替えスイッチ（切り替えスイッチ）４１、音量調整用ホイール４２、電源のオン・オフを行う電源スイッチ４３を備えている。切り替えスイッチ４１、音量調整用ホイール４２、電源スイッチ４３は、本体３の筐体側面４Ａに設けられる凹部４Ｂ（４Ｂ１，４Ｂ２，４Ｂ３）内に配備されており、切り替えスイッチ４１、音量調整用ホイール４２、電源スイッチ４３は、本体３の筐体側面４Ａに対して突出しないように配備されている。
【００１４】
本体３は、筐体４に第１光源４Ｃと第２光源４Ｄを備えている。ユーザは、ユーザ自身の使用環境に応じて、複数の異なるバンドパスフィルタに対応するモードを、モード切り替えスイッチ４１により選択する。この時、第１光源４Ｃは、モード切り替えスイッチ４１によって切り替えられるモードに対応して異なる発光色を発する。また、ユーザは、電源スイッチ４３を押すことで、本体３の電源をオン・オフする。この時、第２光源４Ｄは本体３の電源のオン・オフに応じて点灯・非点灯となる。
【００１５】
本体３は、イヤホン２の接続端子部２２が接続される被接続端子部４Ｅを備えている。被接続端子部４Ｅは、イヤホン２に換えて、付属イヤホン２Ａを接続することが可能になっている。付属イヤホン２Ａは、前述したイヤホン２のハウジング２０，コード２１などを一対（２つ）備えるものであり、ユーザの右耳に被着されるハウジング２０Ｒと左耳に被着されるハウジング２０Ｌを具備している。付属イヤホン２Ａの接続端子部２２Ａは、本体３の被接続端子部４Ｅに接続することで、ハウジング２０Ｒ，２０Ｌ内のスピーカユニットとマイクロホンを本体３に電気的に接続させるものである。
【００１６】
このような構成を備えた音声処理装置１は、イヤホン２が、一つのスピーカユニットと一つのマイクロホンが収納される単一のハウジング２０と、スピーカユニットと本体３とマイクロホンを電気的に接続する信号線を収容する単一のコード２１と、コード２１の端部に設けられ前述した信号線を本体３に接続する接続端子部２２とを備える。このイヤホン２を本体３に接続することで、ユーザは左右一方の耳にハウジング２０を装着して音声処理装置１を使用することができる。
【００１７】
これによると、ユーザは片耳を解放した状態で音声処理装置１を使用することができる。これによって、両耳がイヤホンで塞がれた状態でユーザが感じる閉塞的な違和感を解消することができる。すなわち、ユーザは、開放された片側の耳で環境音を聴きながら、イヤホン２が装着された側の耳で音声処理装置１によって処理（増幅、又は減衰を含む）された音声を聴くことができ、音声処理装置１を使用していないときと同様の感覚で処理（増幅、又は減衰を含む）された音声を聴くことができる。
【００１８】
単一のハウジング２０には無指向性のマイクロホンが収納されている。これによって、イヤホン２における単一のハウジング２０を片耳に装着した状態であっても、無指向性のマイクロホンが周囲の音声を集音し、この音声を処理（増幅、又は減衰を含む）して単一ハウジング２０内のスピーカユニットに出力することができる。
【００１９】
本体３における切り替えスイッチ４１，音量調整用ホイール４２，電源スイッチ４３は、本体３の筐体側面４Ａに対して突出しないように配備される。具体的には、切り替えスイッチ４１、音量調整用ホイール４２、電源スイッチ４３は、本体３の筐体側面４Ａを境界面とした場合に、本体３側に配置されている。よって、境界面に接近する切り替えスイッチ４１、音量調整用ホイール４２、電源スイッチ４３の一部は、境界面に対して本体３側に配置される。このため、本体３を衣服のポケットなどに入れて使用する場合などでも、切り替えスイッチ４１，音量調整用ホイール４２，電源スイッチ４３の誤操作を回避することができる。
【００２０】
［イヤホン構造］
図２は、本発明の実施形態における音声処理装置のイヤホン構造を示した説明図である。図２（ａ）は外観構造を示した説明図であり、図２（ｂ）は内部構造を示した断面図である。
【００２１】
イヤホン２におけるハウジング２０内には、スピーカユニット２４とマイクロホン２６が収納されている。ハウジング２０は、スピーカユニット２４を収容する第１の収容部２０Ａとマイクロホン２６を収容する第２の収容部２０Ｂを備えている。第１の収容部２０Ａはスピーカユニット２４の音波が放射される音響放射孔部２５を備えている。スピーカユニット２４の音響放射面から音波は放射される。第２の収容部２０Ｂは、マイクロホン２６の音響受動面２６Ａ側に、内部空間２０Ｂ１を備える。第２の収容部２０Ｂの内部空間２０Ｂ１は、マイク孔部２７を介して、外部と連通する。
【００２２】
イヤホン２は、ハウジング２０の音響放射孔部２５側に配置される音導管２８を備える。この音導管２８は音響放射孔部２５の軸（中心軸）に沿って延在している。音導管２８には耳介接続部２３Ａが取り付けられている。この耳介接続部２３Ａは、音導管２８の周囲に設けられている。また、耳介接続部２３Ａ側におけるハウジングの側面には、耳介接触部２３Ｂが設けられている。耳介接触部２３Ｂを設けることで、イヤホンによる耳の密閉性を向上できる。スピーカユニット２４は、周知の構成を備えており、ボイスコイル及び振動板を有する振動部と磁気回路を備えている。振動板は音響放射面２４Ａを有する。なお、前述のスピーカユニット２４に変えて、アーマチュア型（電磁気型）のスピーカユニットを採用しても構わない。
【００２３】
ハウジング２０は、第１の収容部２０Ａから第２の収容部２０Ｂに向かって屈曲した屈曲部２０Ｃを備えている。第１の収容部２０Ａは音響放射孔部２５の軸（中心軸）に沿って延在している。第２の収容部２０Ｂは、屈曲部２０Ｃから第１の収容部２０Ａとは異なる方向に延在している。第１の収容部２０Ａの延在方向と第２の収容部２０Ｂの延在方向は交差している。
【００２４】
コード２１は、ハウジング２０に設けたコード引き出し孔部２０Ｄから引き出されている。コード２１は、ハウジング２０のコード保持部２１Ａを介してハウジング２０から引き出されている。コード保持部２１Ａが有する両端部のうち、一方の端部側におけるコード保持部２１Ａの一部がハウジング２０の内部で支持され、他方の端部側におけるコード保持部２１Ａの一部はコード引き出し孔部２０Ｄからハウジング２０の外側に向かって突出している。
【００２５】
第２の収容部２０Ｂは、屈曲部２０Ｃからコード保持部２１Ａに向かって延在している。また、第２の収容部２０Ｂは、コード保持部２１Ａの突出方向に沿って延在している。第２の収容部２０Ｂはコード保持部２１Ａに沿って延在している。また、第２の収容部２０Ｂは、マイク孔部２７を備える。コード保持部２１Ａは、第２の収容部２０Ｂのマイク孔部２７に対向する位置に配置される。図示の例では、コード保持部２１Ａは、マイク孔部２７の開口に対して対向して配置されている。コード保持部２１Ａはコード２１に対して大きい曲げ剛性を備えている。コード保持部２１Ａの側面とマイク孔部２７との間には間隙２０Ｓが設けられている。特に、コード保持部２１Ａの側面とマイク孔部２７との間に、間隙２０Ｓが設けられている。図示の例では、コード保持部２１Ａは直線状に延在しており、第２の収容部２０Ｂは湾曲状に延在している。これによって、コード保持部２１Ａと第２の収容部２０Ｂの側面との間に間隙２０Ｓが形成されている。
【００２６】
コード２１の両端部のうち、一方の端部はハウジング２０内に配置している。コード２１は、ハウジング２０の音響放射孔部２５側とは逆側に配置されている。マイクロホン２６の音響受動面２６Ａの軸（中心軸）は、音響放射孔部２５の軸（中心軸）に対して交差している。マイク孔部２７は、コード２１又はコード保持部２１Ａに向かって開口している。
【００２７】
このような構成のイヤホン２を備えた音声処理装置１は、コード保持部２１Ａがマイク孔部２７に対向する位置に配置されているので、マイク孔部２７にユーザの手や衣料が接触するのを抑止することができ、マイクロホン２６がユーザにとって不快な音になる接触音を拾うことを抑止することができる。
【００２８】
特に、電話の受話器（又は携帯電話の本体）をハウジング２０に近づけて、受話器から発せられる音声を処理（増幅、又は減衰を含む）して聴きたい場合に、コード保持部２１Ａをイヤホン２が備えることで、受話器がマイク孔部２７に接触するのを抑止することができる。受話器とマイク孔部２７との接触が抑止されるので、マイク孔部２７に受話器が接触したときの接触音が処理（増幅、又は減衰を含む）されてイヤホン２のスピーカユニット２４から放射されることを抑止できる。更に、受話器とマイク孔部２７との接触が抑止されるので、処理（増幅、又は減衰を含む）された接触音によりユーザが受ける不快感を抑止することができる。また、受話器とマイク孔部２７との接触による接触音で受話器のスピーカユニットから発せられる音が聞こえづらくなり、重要な要件などを聞き落としてしまう不具合を回避することができる。
【００２９】
コード保持部２１Ａの一方の端部（ハウジング２０側の端部）はハウジング２０に支持されている。コード保持部２１Ａ自体が曲げ剛性を有している。また、コード保持部２１Ａとハウジング２０との間には間隙２０Ｓが設けられている。このため、コード保持部２１Ａが受話器などで押されても、コード保持部２１Ａ自体やコード２１がマイク孔部２７に接触することを回避することができる。
【００３０】
また、本発明の実施形態に係る音声処理装置１において、イヤホン２のハウジング２０内に収納されるマイクロホン２６の音響受動面２６Ａの軸が、スピーカユニット２４の音響放射面の軸に対して交差している。また、本実施形態では、マイクロホン２６の音響受動面２６Ａの軸は、スピーカユニット２４の音響放射面の軸に沿う、音響放射孔部２５の軸に対して交差している。ここで、交差するとは、対象となる音響受動面２６Ａの軸及び音響放射面の軸が３次元空間内で交差すること、対象となる音響受動面２６Ａの軸及び音響放射面の軸のうち一方の軸を含む二次元平面内に他方の軸を投影したときに交差することも含む。ハウジング２０に設けられるマイク孔部２７は、コード２１又はコード保持部２１Ａに向かって開口している。このため、スピーカユニット２４が駆動することで生じる振動がハウジング２０を介してマイクロホン２６に伝播することにより生ずるハウリング（発振現象）の発生を抑止することができる。また、マイク孔部２７がコード２１又はコード保持部２１Ａに向かって開口している。このため、電話の受話器の発音方向をマイク孔部２７の方向に直接向けることができる。また、受話器から発せられる音声をマイクロホン２６で確実に集音することができる。マイク孔部２７に入った音波は内部空間２０Ｂ１を通過して、音響受動面２６Ａを振動させるため、マイクロホン２６は集音できる。
【００３１】
イヤホン２のハウジング２０はスピーカユニット２４が収納される第１の収容部２０Ａとマイクロホン２６が収納される第２の収容部２０Ｂを備えている。第１の収容部２０Ａと第２の収容部２０Ｂは、異なる方向に延在している。このため、スピーカユニット２４とマイクロホン２６を離間させることができる。スピーカユニット２４とマイクロホン２６との間に所定の距離を設けることで、前述したハウリングを回避することができる。また、第２の収容部２０Ｂをコード２１に沿って延在させている。このため、ユーザがイヤホン２を装着した際に、マイクロホン２６の位置をユーザの耳に対して下方に配置した。これにより、携帯電話（例えば、スマートホンタイプの携帯電話）を用いて会話する場合、ユーザの音声をイヤホンのマイクロホンで集音することで、ユーザ自身が発する声量を聞きつつ、携帯電話に対して適度な声量をユーザが発することができる。
【００３２】
［回路構成］
図３は、本発明の実施形態に係る音声処理装置の回路構成を示した説明図である。本体３は、マイクロホン２６が集音した音声信号を処理（増幅、又は減衰を含む）してスピーカユニット２４に出力する音声信号処理回路３０を有している。音声信号処理回路３０は、音声信号入力部３１と音声信号出力部３７を備えており、本体３の被接続端子部４Ｅにイヤホン２の接続端子部２２を接続することで、マイクロホン２６から信号線２１Ｍを介してマイク端子２２Ｍに送られた音声信号が音声信号入力部３１に入力され、音声信号出力部３７から出力された処理（増幅、又は減衰を含む）した音声信号がスピーカ端子２２Ｓ及び信号線２１Ｓを介してスピーカユニット２４に送られる。
【００３３】
音声信号処理回路３０は、例えば、音声信号入力部３１から出力される音声信号を処理（増幅、又は減衰を含む）するプリアンプ（前置増幅器）３２、切り替え回路３３、バンドパスフィルタ３４、音量調整部（スライドボリューム）３５、パワーアンプ３６、音声信号出力部３７を備えている。また、音声信号処理回路３０に駆動電圧Ｖｃｃを供給するための電源回路３８を備えている。電源回路３８にはバッテリ（電池）３８Ａが接続されており、バッテリ（電池）３８Ａと電源回路３８の間には電源遮断部３８Ｂが設けられている。
【００３４】
音声信号処理回路３０は、操作部４０からの操作信号によって操作される。操作部４０は、前述したモード切り替えスイッチ４１、音量調整ホイール４２、電源スイッチ４３、音圧バランス調整操作部４６によって得られる操作信号を出力するものである。なお、音声信号処理回路３０が電源回路３８を備えずに、本体３が電源回路３８を備えていても構わない。
【００３５】
操作部４０は、モード切り替えスイッチ４１による切り替え操作信号を切り替え回路３３に送り、音量調整用ホイール４２による調整操作信号を音量調整部３５に送り、電源スイッチ４３によるオン・オフ操作信号を電源遮断部３８Ｂに送る。また、音圧バランス調整操作部４６の調整信号を音圧バランス調整部３９に送る。
【００３６】
音圧バランス調整部３９は、後述する付属イヤホン２Ａを本体３に接続した場合に、付属イヤホン２Ａが有する右耳用のスピーカユニット２４（Ｒ）と右耳用のスピーカユニット２４（Ｌ）における左右の音圧バランスを調整する機能を有する。
【００３７】
制御手段（例：マイコン）５０は、後述するように、本体３に対してイヤホン２又は付属イヤホン２Ａのいずれが接続されたかを判別することができる。そして、イヤホン２が本体３に接続されたことを検知した場合には、制御手段は音圧バランス調整部３９に信号を送り、音圧バランス調整部３９の調整機能をオフ（停止）する。
【００３８】
切り替え回路３３は、モード切り替えスイッチ４１によって入力される切り替え操作信号によって、複数の異なるバンドパスフィルタ３４（３４Ａ〜３４Ｄ）を選択的に切り替える。
【００３９】
音量調整部３５は、音量調整用ホイール４２によって入力される調整信号によって音声信号の音量を可変制御する。電源遮断部３８Ｂは、電源スイッチ４３によって入力されるオン・オフ操作信号によってバッテリ３８Ａと電源回路３８とを接続・遮断する。
【００４０】
複数の異なるバンドパスフィルタ３４は、音声信号処理回路３０に変更可能な状態又は選択された何れか一つ又は複数が固定された状態で組み込まれていても構わない。ここで固定された状態とは、音声信号処理回路３０に組み込まれた、各モードに対応するバンドパスフィルタ３４の特性は、音声信号処理回路３０に組み込まれた後で変更することができない状態であることをいう。
【００４１】
［使用環境に応じたモード切り替え（バンドバスフィルタの特性）］
図４は、本発明の実施形態に係る音声処理装置における使用環境に応じたモード切り替えの態様を示した説明図であり、各モードに対応した、複数の異なるバンドパスフィルタの特性を示している。本発明の実施形態に係る音声処理装置１は、使用環境の違いに対応して、使用環境毎に適した動作モードを選択的に切り替えることができる。
【００４２】
このモード切り替えを実現するために、音声信号処理回路３０のバンドパスフィルタ３４は、複数の異なるバンドパスフィルタ３４Ａ，３４Ｂ，３４Ｃ，３４Ｄを備えており、切り替え回路３３によっていずれか一つに選択的に切り替えられるようになっている。複数の異なるバンドパスフィルタ３４Ａ，３４Ｂ，３４Ｃ，３４Ｄは、例えば、電話モード用、会話モード用、通常モード用、テレビモード用に設定することができる。
【００４３】
複数の異なるバンドパスフィルタ３４Ａ〜３４Ｄの一つである第１バンドパスフィルタ３４Ａ（電話モード用）は、例えば、図４（ａ）に示す特性を有している。この第１バンドパスフィルタ３４Ａは、電話の受話器から発せられる音声（約３００Ｈｚから約３４００Ｈｚまでの周波数帯域内）を選択的に通過させる特性を有しており、イヤホン２のマイク孔部２７に受話器のスピーカユニットを近づけて受話器が発する音声を処理（増幅、又は減衰を含む）して聴く使用環境に適する。
【００４４】
第１バンドパスフィルタ３４Ａは、約２０００〜約３０００Ｈｚのカットオフ周波数Ｃ１ａ（図示の場合：約２５００Ｈｚ）を有するローパスフィルタと、約３００〜約８００Ｈｚのカットオフ周波数Ｃ１ｂ（図示の場合：約７００Ｈｚ）を有するハイパスフィルタ、約７００Ｈｚ〜約１２００Ｈｚの中心周波数Ｃ１ｃ（図示の場合：約１０００Ｈｚ）を有するイコライザーで構成されている。第１バンドパスフィルタ３４Ａは、カットオフ周波数Ｃ１ａ〜Ｃ１ｂ間が比較的狭いというフィルター特性を有している。また、増幅率が最大となる周波数Ｐ１は約１０００Ｈｚから約２０００Ｈｚの間にある。
【００４５】
このようなフィルター特性を有する第１バンドパスフィルタ３４Ａに切り替えると、電話の受話器から発せられる音声を選択して処理（増幅、又は減衰を含む）することができる。また、第１バンドパスフィルタ３４Ａによって選択される周波数帯域以外の環境音などの音が処理（増幅、又は減衰を含む）されないので、ユーザの周囲に雑音が発生していても受話器から発せられる音を鮮明に聴くことができる。なお、電話の受話器から発せられる音声の周波数帯域は、３００Ｈｚから３４００Ｈｚである。
【００４６】
複数の異なるバンドパスフィルタ３４Ａ〜３４Ｄの一つである第２バンドパスフィルタ３４Ｂ（会話モード用）は、例えば、図４（ｂ）に示す特性を有している。この第２バンドパスフィルタ３４Ｂは、第１バンドパスフィルタ３４Ａのローパスフィルタにおけるカットオフ周波数Ｃ１ａ（図示の場合：約２５００Ｈｚ）よりも大きいカットオフ周波数Ｃ２ａ（図示の場合：約４９００Ｈｚ）を有するローパスフィルタと、第１バンドパスフィルタ３４Ａのハイパスフィルタにおけるカットオフ周波数Ｃ１ｂ（図示の場合：約７００Ｈｚ）よりも小さいカットオフ周波数Ｃ２ｂ（図示の場合：約１５０Ｈｚ）を有するハイパスフィルタ、約７００Ｈｚ〜約１２００Ｈｚの中心周波数Ｃ２ｃ（図示の場合：約１０００Ｈｚ）を有するイコライザーで構成されている。増幅率が最大となる周波数Ｐ２は約９００Ｈｚから約２０００Ｈｚの間（図示の例では約１０００Ｈｚ）にある。また、第２バンドパスフィルタ３４Ｂの最大増幅率は第１バンドパスフィルタ３４Ａの最大増幅率より小さい特性を有している。
【００４７】
このような特性を有する第２バンドパスフィルタ３４Ｂに切り替えると、会話が主となる使用環境で効果的に会話音声を処理（増幅、又は減衰を含む）させることができる。特に、会議室などで使用する場合に、会話音声を効果的に処理（増幅、又は減衰を含む）して、第２バンドパスフィルタ３４Ｂによって選択される帯域以外のその他の雑音に関しては処理（増幅、又は減衰を含む）を行わないので、周囲に雑音があっても会話音声を鮮明に聴くことができる。また、第２のバンドパスフィルタは後述する第３のバンドパスフィルタの最低周波数より小さい最低周波数（一番小さい増幅率における最低周波数）を備えており、第３のバンドパスフィルタに対して比較的小さい周波数帯域での音声を通過させるという特性を有する。
【００４８】
複数の異なるバンドパスフィルタ３４Ａ〜３４Ｄの一つである第３バンドパスフィルタ３４Ｃ（通常モード用）は、例えば、図４（ｃ）に示す特性を有している。この第３バンドパスフィルタ３４Ｃは、第２バンドパスフィルタ３４Ｂのローパスフィルタにおけるカットオフ周波数Ｃ２ａ（図示の場合：約４９００Ｈｚ）よりも小さいカットオフ周波数Ｃ３ａ（図示の場合：約４４００Ｈｚ）を有するローパスフィルタと、第２バンドパスフィルタ３４Ｂのハイパスフィルタにおけるカットオフ周波数Ｃ２ｂ（図示の場合：約１５０Ｈｚ）よりも大きいカットオフ周波数Ｃ３ｂ（図示の場合：約３００Ｈｚ）を有するハイパスフィルタで構成されている。また、増幅率が最大となる周波数Ｐ３は約２０００Ｈｚから約３０００Ｈｚの間にある。また、第３バンドパスフィルタ３４Ｃの最大増幅率は第２バンドパスフィルタ３４Ｂの最大増幅率より小さい特性を有している。
【００４９】
このような特性を有する第３バンドパスフィルタ３４Ｃに切り替えると、人の声や楽器音などが主となる通常の使用環境で効果的に必要な音または音声を処理（増幅、又は減衰を含む）させることができる。
【００５０】
複数の異なるバンドパスフィルタ３４Ａ〜３４Ｄの一つである第４バンドパスフィルタ３４Ｄ（テレビモード用）は、例えば、図４（ｄ）に示す特性を有している。この第４バンドパスフィルタ３４Ｄは、第３バンドパスフィルタ３４Ｃのローパスフィルタにおけるカットオフ周波数Ｃ３ａ（図示の場合：約４４００Ｈｚ）よりも大きいカットオフ周波数Ｃ４ａ（図示の場合：約５３００Ｈｚ）を有するローパスフィルタと、第３バンドパスフィルタ３４Ｃのハイパスフィルタにおけるカットオフ周波数Ｃ３ｂ（図示の場合：約３００Ｈｚ）よりも小さいカットオフ周波数Ｃ４ｂ（図示の場合：約４９Ｈｚ）を有するハイパスフィルタで構成されている。また、増幅率が最大となる周波数Ｐ４は約３０００Ｈｚから約４０００Ｈｚの間にある。また、第４バンドパスフィルタ３４Ｄの最大増幅率は第３バンドパスフィルタ３４Ｃの最大増幅率より小さい特性を有している。
【００５１】
このような特性を有する第４バンドパスフィルタ３４Ｄに切り替えると、広い周波数レンジの使用環境で効果的に必要な音声を処理（増幅、又は減衰を含む）させることができる。特に、テレビの音声は約５Ｈｚ〜約２０ｋＨｚの広い周波数レンジを有しているので、この第４バンドパスフィルタ３４Ｄに切り替えたモードはテレビを視聴する場合に適している。また、音楽の周波数レンジである約５０Ｈｚから約１５ｋＨｚにカットオフ周波数Ｃ３ｂ〜Ｃ３ａを合わせることで、音楽を鑑賞する場合に適している。
【００５２】
図５〜図９は、本発明の実施形態に係る音声処理装置におけるスピーカユニットの出力音圧周波数特性を示している。図５〜図８においては、第１〜第４のバンドパスフィルタを採用した場合のスピーカユニットの出力音圧周波数特性を曲線で示しており、（１００００Ｈｚ，１００ｄＢ）の点と（１０Ｈｚ，４０ｄＢ）の点を結ぶ基準線を一点破線で示している。ここでは基準線より音圧が高くなる範囲を凸状の起伏と定義して図示においては破線で囲っている。この起伏の大小で各バンドパスフィルタを採用したときにおける出力音圧周波数特性の特徴を示す。図５〜図８に示すように、スピーカユニットの出力音圧周波数特性は、第１〜第４のバンドパスフィルタによって前述した起伏が変化している。
【００５３】
図５は、第１のバンドパスフィルタに対応するモードが選択された場合の出力音圧周波数特性が示されている。図示の例は、約２０Ｈｚから約１３０Ｈｚまで音圧は徐々に大きくなっている。約１３０Ｈｚから約３００Ｈｚの周波数帯域では出力音圧周波数特性がフラットになっている。約３００Ｈｚから徐々に音圧が大きくなり、約１６００Ｈｚから約２０００Ｈｚの周波数帯域においてピークがある。音圧がピークとなる周波数より大きい周波数帯域では、約２００００Ｈｚにかけて音圧が低下している。また、約５０Ｈｚから約８００Ｈｚの間における周波数帯域において、凸状の起伏が見られる。この凸状の起伏は後述する図６及び図８に対して小さいことがわかる。
【００５４】
図６は、第２のバンドパスフィルタに対応するモードが選択された場合の出力音圧周波数特性が示されている。図示の例は、約２０Ｈｚから約１６００Ｈｚまで音圧は徐々に大きくなっている。約１００Ｈｚから約５００Ｈｚの周波数帯域では出力音圧周波数特性が山なりになっている。約１６００Ｈｚから約４０００Ｈｚまでの周波数帯域において、出力音圧周波数特性はフラットになっている。約４０００Ｈｚから約２００００Ｈｚまでの周波数帯域では、音圧が徐々に低下している。また、約５０Ｈｚから約８００Ｈｚの間における周波数帯域において、凸状の起伏が見られる。この凸状の起伏は、後述する図７及び図５に対して大きいことがわかる。
【００５５】
図７は、第３のバンドパスフィルタに対応するモードが選択された場合の出力音圧周波数特性が示されている。図示の例は、約２０Ｈｚから約４０００Ｈｚまで音圧は徐々に大きくなっている。図６で約１３０Ｈｚから約３００Ｈｚの周波数帯域で見られる山なりの部分は図７では見られない。約４０００Ｈｚから約２００００Ｈｚまでの周波数帯域では、音圧が徐々に低下している。また、約５０Ｈｚから約８００Ｈｚの間における周波数帯域において、凸状の起伏が見られる。この凸状の起伏は後述する図８及び図５に対して小さいことがわかる。
【００５６】
図８は、第４のバンドパスフィルタに対応するモードが選択された場合の出力音圧周波数特性が示されている。図示の例は、約２０Ｈｚから約６３Ｈｚまで音圧は徐々に大きくなっている。約６３Ｈｚから約１２５Ｈｚまでの周波数帯域で急激に音圧の増加率が大きくなっている。約１２５Ｈｚから約１０００Ｈｚまでの周波数帯域では、出力音圧周波数特性はフラットになっている。約１０００Ｈｚから約４０００Ｈｚにかけて音圧が徐々に大きくなっている。約４０００Ｈｚから約２００００Ｈｚまでの周波数帯域では、音圧が徐々に低下している。また、約５０Ｈｚから約８００Ｈｚの間における周波数帯域において、凸状の起伏が見られる。この凸状の起伏は、図５及び図７に対して大きいことがわかる。
【００５７】
前述した各モードに対応する出力音圧周波数特性の概略図を、図９に示した。図示の線Ｂ１が第１のバンドパスフィルタを選択した場合の出力音圧周波数特性であり、この線Ｂ１から、第１のバンドフィルタに対応するモードを選択することで、音声の主な周波数である約１０００Ｈｚを中心として、スピーカユニットから処理された音が出力されることがわかる。凸状の起伏の大きさにより、人の音声やテレビの音や音楽の音について増幅率されているかを把握することができる。
【００５８】
また、図示の線Ｂ２が第２のバンドパスフィルタを選択した場合の出力音圧周波数特性であり、この線Ｂ２から、第２のバンドパスフィルタに対応するモードを選択することで、より低域での音がスピーカユニットから出力され、会議等にて発せられる音声をより明瞭に聞くことができることがわかる。
【００５９】
図示の線Ｂ３が第３のバンドパスフィルタを選択した場合の出力音圧周波数特性であり、この線Ｂ３から、第３のバンドパスフィルタに対応するモードを選択することで、日常生活などの通常の使用環境で効果的に必要な音声を聞くことができることがわかる。
【００６０】
図示の線Ｂ４が第４のバンドパスフィルタを選択した場合の出力音圧周波数特性であり、この線Ｂ４から、第４のバンドパスフィルタに対応するモードを選択することで、第２のバンドパスフィルタに対応するモードを選択した場合よりも、より低域の音を聞くことができることがわかる。よって、テレビの音声（約５Ｈｚ〜約２０ｋＨｚ）、音楽の周波数レンジ（約５０Ｈｚ〜約１５ｋＨｚ）に対応しているので、テレビや音楽を鑑賞することができる。
【００６１】
複数の異なるバンドパスフィルタ３４Ａ〜３４Ｄの切り替えは、前述したように、モード切り替えスイッチ４１の操作によって行うことができる。この際、操作部４０は、例えば、モード切り替えスイッチ４１を一回押す毎に複数の異なるバンドパスフィルタ３４Ａ〜３４Ｄを順次切り替える操作信号を出力する。
【００６２】
本体３は、一例として図３に示すように、切り替え表示部４５を備える。切り替え表示部４５は、モード切り替えスイッチ４１によって切り替えられる複数の異なるバンドパスフィルタ３４Ａ〜３４Ｄのそれぞれに対応して第１光源４Ｃが異なる発光色を呈するように、表示信号を出力する。これによると、ユーザは本体３の筐体４に設けた第１光源４Ｃの発光色を見て、現在設定されている使用環境のモードが何れであるかを視覚的に認識することができる。
【００６３】
モード切り替えスイッチ４１は、複数の異なるバンドパスフィルタ３４Ａ，３４Ｂ，３４Ｃ，３４Ｄを順次切り替える、通常切り替え動作を有している。例えば、モード切り替えスイッチ４１を押すと、現在設定されているバンドパスフィルタ３４が第１バンドパスフィルタ３４Ａの場合、第２バンドパスフィルタ３４Ｂ，第３バンドパスフィルタ３４Ｃ，第４バンドパスフィルタ３４Ｄのうちのいずれかに切り替わる。なお、複数の異なるバンドパスフィルタ３４Ａ，３４Ｂ，３４Ｃ，３４Ｄは、この順で切り替えられるか、又はバンドパスフィルタ３４Ｂ，３４Ａ，３４Ｃ，３４Ｄの順に切り替えられるなど、切り替える順番が変更されても構わない。
【００６４】
また、モード切り替えスイッチ４１は、第２バンドパスフィルタ３４Ｂ，第３バンドパスフィルタ３４Ｃ，第４バンドパスフィルタ３４Ｄのうちの一つから直接第１バンドパスフィルタ３４Ａに切り替える特定切り替え動作を有している。例えば、モード切り替えスイッチ４１を２連続押しするか、又は長押しすると、現在設定されているバンドパスフィルタ３４が第２バンドパスフィルタ３４Ｂ，第３バンドパスフィルタ３４Ｃ，第４バンドパスフィルタ３４Ｄのうちのいずれであっても、第１バンドパスフィルタ３４Ａに切り替わる。これによると、電話使用環境のモード（電話モード；第１のバンドパスフィルタに対応するモード）に１操作又は一連の操作で切り替えることができるので、突然に電話が掛かってきた場合などであっても、電話の着信に合わせて速やかに電話使用環境のモードに切り替えることができる。また、イヤホン２に赤外線センサー等のセンサーを設けて、電話の受話器がイヤホン２に近づいたことをセンサーが感知して、電話使用環境のモードに切り替えることもできる。この場合、ユーザが切り替えボタンを押すことなく、モードが切り替わるので、ユーザにとって使い勝手が向上する。
【００６５】
また、本体３は、一例として図３に示すように、モード切り替えスイッチ４１の操作に関する切り替え報知部４４を備える。切り替え報知部４４は、モード切り替えスイッチ４１の切り替えによってスピーカユニット２４に出力される音声信号の音量が増減することをユーザに報知する。具体的には、切り替え報知部４４は、切り替えスイッチ４１によるバンドパスフィルタ３４の切り替え期間において、音声信号処理回路３０にて処理（増幅、又は減衰を含む）されてスピーカユニット２４に出力される音声信号を一時遮断する。また、本体３は、スピーカユニット２４に報知音を出力させる。これによると、使用環境に応じてモードを切り替える時に、ユーザはスピーカユニット２４から出力される音量が増減されることを未然に知ることができる。特に突然の音量増大で不快感を覚えることを回避することができる。
【００６６】
［接続端子部／被接続端子部］
図１０は、イヤホンの接続端子部と本体の被接続端子部の構成を示した説明図である。図１０（ａ）は、イヤホン２（第１のイヤホン）を本体３に接続した状態を示しており、図１０（ｂ）は、付属イヤホン（第２のイヤホン）２Ａを本体３に接続した状態を示している。
【００６７】
イヤホン２は、単一のハウジング２０に一つのスピーカユニット２４と一つのマイクロホン２６が収納されたものであり、その接続端子部２２は、マイク端子２２Ｍとスピーカ端子２２Ｓを備えている。また、この接続端子部２２は、スピーカユニットやマイクロホンと接続しない非接続端子Ｔ１，Ｔ２を備えている。一方、付属イヤホン２Ａは、ハウジング２０を２つ（右耳用のハウジング２０Ｒと左耳用のハウジング２０Ｌ）備えており、それぞれに一つのスピーカユニット２４と一つのマイクロホン２６が収納されたものであり、その接続端子部２２Ａは、右耳用のマイク端子２２Ｍ（Ｒ）とスピーカ端子２２Ｓ（Ｒ）と左耳用のマイク端子２２Ｍ（Ｌ）とスピーカ端子２２Ｓ（Ｌ）を備えている。
【００６８】
これに対して、本体３の被接続端子部４Ｅは、スピーカ出力端子（被スピーカ端子）４Ｅ１，４Ｅ２とマイク入力端子（被マイク端子）４Ｅ３，４Ｅ４を備えている。そして、単一のハウジング２０を備えたイヤホン２の接続端子部２２を被接続端子部４Ｅに接続する場合には、スピーカ出力端子４Ｅ１，４Ｅ２の一方（図示の例ではスピーカ出力端子４Ｅ２）がスピーカ端子２２Ｓと接続され、マイク入力端子４Ｅ３，４Ｅ４の一方（図示の例ではマイク入力端子４Ｅ３）がマイク端子２２Ｍと接続される。また、スピーカ出力端子４Ｅ１，４Ｅ２の他方（図示の例ではスピーカ出力端子４Ｅ１）が非接続端子Ｔ２に接続され、マイク入力端子４Ｅ３，４Ｅ４の他方（図示の例ではマイク入力端子４Ｅ３）が非接続端子Ｔ１に接続される。
【００６９】
付属イヤホン２Ａの接続端子部２２Ａを被接続端子部４Ｅに接続した場合には、接続端子部２２Ａのマイク端子２２Ｍ（Ｒ），２２Ｍ（Ｌ）がそれぞれ被接続端子部４Ｅのマイク入力端子（被マイク端子）４Ｅ３，４Ｅ４に接続され、接続端子部２２Ａのスピーカ端子２２Ｓ（Ｒ），２２Ｓ（Ｌ）がそれぞれ被接続端子部４Ｅのスピーカ出力端子（被スピーカ端子）４Ｅ２，４Ｅ１に接続される。
【００７０】
図１１は、イヤホン及び付属イヤホンにおける接続端子部の具体的な構成例を示した説明図である。図１１（ａ）がイヤホン２の接続端子部２２の具体的な構成例を示しており、図１１（ｂ）が付属イヤホン２Ａの接続端子部２２Ａの具体的な構成例を示している。図に示されるように、イヤホン２の接続端子部２２と付属イヤホン２Ａの接続端子部２２Ａはピン状の形状を有しており、端子径などの外観寸法上両者は実質的に同一の形態を有しており、それぞれが本体３の被接続端子部４Ｅに接続できるようになっている。
【００７１】
付属イヤホン２Ａの接続端子部２２Ａは、スピーカ端子２２Ｓ（Ｒ），２２Ｓ（Ｌ）、マイク端子２２Ｍ（Ｒ），２２Ｍ（Ｌ）、グランドとしてのスピーカグランド端子２２Ｇ１、マイクグランド端子２２Ｇ２の６つの端子を有する。これらの端子は、マイクグランド端子２２Ｇ２を境界として、接続端子部２２Ａの先端部側及びコード２１側にそれぞれ配置されている。すなわち、接続端子部２２Ａの先端部側のスピーカ端子２２Ｓ（Ｒ），２２Ｓ（Ｌ）は、それぞれコード２１側のスピーカ端子２２Ｓ（Ｒ）−１，２２Ｓ（Ｌ）−１と電気的に接続されている。同様に、接続端子部２２Ａの先端部側のマイク端子２２Ｍ（Ｒ），２２Ｍ（Ｌ）は、それぞれコード２１側のマイク端子２２Ｍ（Ｒ）−１，２２Ｍ（Ｌ）−１と電気的に接続されている。
【００７２】
これに対して、イヤホン２の接続端子部２２は、同様の端子構造を有しており、１つのスピーカユニットに対応するスピーカ端子２２Ｓ、１つのマイクロホンに対応するマイク端子２２Ｍ、１つのスピーカユニット及び１つのマイクロホンと非接続状態である２つの端子（非接続端子Ｔ１，Ｔ２）を備える。非接続端子Ｔ１，Ｔ２は、付属イヤホン２Ａの接続端子部２２Ａにおけるマイク端子２２Ｍ（Ｌ），スピーカ端子２２Ｓ（Ｌ）に対応しているが、この非接続端子Ｔ１，Ｔ２にはスピーカユニット，マイクロホンへの接続がなされていない。
【００７３】
また、接続端子部２２は、接続端子部２２Ａと同様にスピーカグランド端子２２Ｇ１とマイクグランド端子２２Ｇ２を有している。接続端子部２２の先端部側のスピーカ端子２２Ｓは、コード２１側のスピーカ端子２２Ｓ−１と電気的に接続されており、先端部側のマイク端子２２Ｍは、コード２１側のマイク端子２２Ｍ−１と電気的に接続されている。
【００７４】
そして、コード側の非接続端子Ｔ１−１を、コード側のマイクグランド端子２２Ｇ２−１に配線（導線等）Ｓｐを介して電気的に接続している。これによって、非接続端子Ｔ１とマイクグランド端子２２Ｇ２が電気的に接続されることになり、非接続端子Ｔ１が短絡した状態（接地）になっている。図示の例では、非接続端子Ｔ１を短絡させているが、非接続端子Ｔ２を短絡させても構わない。
【００７５】
本体３が有する制御手段（例：マイコン）５０がこの短絡を検知することによって、イヤホン２が本体３に接続されたことを検知する。その際、制御手段５０は、左右のスピーカ出力端子４Ｅ１，４Ｅ２に出力する音声信号の音圧バランスを調整する音圧バランス調整部３９を制御し、音圧バランスの調整機能をオフ（停止）させる。
【００７６】
図１２は、本発明の実施形態に係る音声処理装置の本体を示した説明図である。図１２（ａ）が本体の背面構成を示しており、図１２（ｂ）が本体の電池挿入部を示している。図に示されるように、本体３の背面側には、本体３をユーザの衣服などに保持するための保持クリップ４Ｆが設けられる。また、本体３は電池や充電池を挿入できる電池挿入部４Ｈを備える。この電池挿入部４Ｈは蓋部４Ｇで覆われている。蓋部４Ｇを開けると、図１２（ｂ）に示すように、電池挿入部４Ｈ内に、電池３８Ａと、電気的に接触する＋−の端子３８Ａ１，３８Ａ２と、ユーザが例えば手動で調整可能な位置にホイール形状を有する音圧バランス調整操作部４６が設けられている。
【００７７】
この音圧バランス調整操作部４６は、音圧バランス調整部３９に調整信号を送って、イヤホン２Ａが備える２つのスピーカユニットのうち、一方のスピーカユニットと他方のスピーカユニットの出力音圧のバランスを調整するものである。この音圧バランス調整操作部４６を調整することで、一方のスピーカユニットから出力される音を大きくし他方のスピーカユニットから出力される音を小さくすることができる。そして、音圧バランス調整操作部４６を最大限一方のスピーカユニット側に調整することで、２つのスピーカユニットの一方のスピーカユニットからのみ音を出力させることもできる。具体的には、音圧バランス調整操作部４６の調整状態に応じて、例えば、音圧バランス調整部３９が有する可変抵抗の値を変更することで、一方及び他方のスピーカユニットから出力される音を小さく又は大きく調整する。また、前述の説明では音圧バランス調整部３９における音圧バランス調整を可変抵抗の値を調整して行う例を示したが、それに代えて、DSP（デジタルシグナルプロセッサー）を用いて、デジタル信号処理により音圧バランス調整を行っても良い。
【００７８】
前述したように、音圧バランス調整部３９は、制御手段５０からの調整信号によりそのバランス調整機能をオン（動作）、またはオフ（停止）する。すなわち、本体３は、音声信号処理回路３０から第１のイヤホン（イヤホン２）のスピーカユニットに出力される音声信号について、音圧バランス調整操作部４６による調整を停止させることができる。この動作を、以下に詳細に説明する。
【００７９】
本体３が備える音圧バランス調整部３９は、ユーザの右耳に被着されるハウジング２０Ｒと左耳に被着されるハウジング２０Ｌを具備している付属イヤホン２Ａに対応するために、右耳用のハウジング２０Ｒのマイクロホンが集音した音声信号を調整してハウジング２０Ｒのスピーカユニットに出力する右耳用調整回路と、左耳用のハウジング２０Ｌのマイクロホンが集音した音声信号を調整してハウジング２０Ｌのスピーカユニットに出力する左耳用調整回路を有する。そして、一つのスピーカユニットと一つのマイクロホンが収納されるイヤホン２が本体３に接続された場合には、音声バランス調整部３９は、前述した右耳用調整回路と左耳用調整回路のうち、一方を選択して、例えば、右耳用調整回路のみにイヤホン２のマイクロホンで集音した音声信号が入力されるように設計されている。
【００８０】
この際に、例えば、付属イヤホン２Ａを本体３に接続して使用するユーザが、音圧バランス調整操作部４６を操作して、左耳用のスピーカユニットからのみ音が出力されるように調整（右耳用のスピーカユニットから音が出力されないように調整）している場合が考えられる。このような場合に、一つのスピーカユニットと一つのマイクロホンが一つのハウジングに収納されるイヤホン２が本体３に接続されると右耳用調整回路のみに音声信号が入力されることになるが、この際に音圧バランス調整部３９が機能していると、右耳用調整回路が出力を行わないので、イヤホン２のスピーカユニットから音が聞こえない状態になり、ユーザは本体の不具合と誤解する可能性がある。
【００８１】
そこで、本発明の実施形態では、前述したように、一つのスピーカユニットと一つのマイクロホンが一つのハウジングに収納されるイヤホン２が本体３に接続されたことを制御手段５０が検知した場合には、音圧バランス調整部３９に調整信号を送り、音圧バランス調整部３９の調整機能をオフ（停止）にする。これによって、イヤホン２が本体３に接続されて音圧バランス調整部３９の右耳用又は左耳用調整回路のみに音声信号が入力される際に、音圧バランス調整操作部４６が如何に操作されていても、常にイヤホン２のスピーカユニットに音声信号が出力されることになる。これによって、イヤホン２を本体３に接続した場合にスピーカユニットから音声が出力されない問題を解消することができる。
【００８２】
また、本発明の実施形態では、前述したように、一つのスピーカユニットと一つのマイクロホンが一つのハウジングに収納されるイヤホン２が本体３に接続されたことを制御手段５０が検知した場合には、音圧バランス調整部３９に信号を送り、音圧バランス調整部３９の調整機能をオフ（停止）することによって、イヤホン２を本体３に接続した場合にスピーカユニットから音声が出力されない問題を解消した。
また、音声処理装置１をイヤホン２Ａが本体３に接続されたことを検知するように構成し、イヤホン２Ａが本体３に接続されたことを制御手段５０が検知した場合には、音圧バランス調整部３９に信号を送り、音圧バランス調整部３９の調整機能をオン（動作）にする。これによって、イヤホン２Ａを本体３に接続した場合の音圧バランス調整機能が復帰することになる。
【００８３】
ここで、音圧バランス調整部３９の調整機能をオフにした場合には、音声信号は音圧調整されること無くスピーカユニットに出力される。このような制御動作を実現するには、音圧バランス調整部３９に対して音声信号の信号経路を迂回させる方法や、音圧バランス調整部３９が行う音声信号のデジタル処理に対して、処理ステップをスキップさせる方法などが考えられるが、具体的な方法はどのような方法でも構わない。
【００８４】
２つのハウジング２０を備えた付属イヤホン２Ａの接続端子部２２Ａを被接続端子部４Ｅに接続した場合には、接続端子部２２Ａのマイク端子２２Ｍ（Ｒ），２２Ｍ（Ｌ）がそれぞれ被接続端子部４Ｅのマイク入力端子４Ｅ３，４Ｅ４に接続され、接続端子部２２Ａのスピーカ端子２２Ｓ（Ｒ），２２Ｓ（Ｌ）がそれぞれ被接続端子部４Ｅのスピーカ出力端子４Ｅ２，４Ｅ１に接続される。この際、音声信号処理回路３０からスピーカ出力端子４Ｅ２，４Ｅ１に出力される音声信号は、モノラル信号であってもステレオ信号であってもよい。ステレオ信号の場合には、マイク端子２２Ｍ（Ｒ）に入力された音声信号を処理（増幅、又は減衰を含む）した音声信号がスピーカ出力端子４Ｅ２に出力され、マイク端子２２Ｍ（Ｌ）に入力された音声信号を処理（増幅、又は減衰を含む）した音声信号がスピーカ出力端子４Ｅ２に出力される。
【００８５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００８６】
１：音声処理装置，２：イヤホン，３：本体，
２０：ハウジング，２０Ａ，２０Ｂ：収容部，
２１：コード，
２１Ａ：コード保持部，
２４：スピーカユニット，
２６：マイクロホン，
２７：マイク孔部，
３０：音声信号処理回路
【図１】
0005385472.tif 000002
【図２】
0005385472.tif 000003
【図３】
0005385472.tif 000004
【図４】
0005385472.tif 000005
【図５】
0005385472.tif 000006
【図６】
0005385472.tif 000007
【図７】
0005385472.tif 000008
【図８】
0005385472.tif 000009
【図９】
0005385472.tif 000010
【図１０】
0005385472.tif 000011
【図１１】
0005385472.tif 000012
【図１２】
0005385472.tif 000013